(57)【要約】      （修正有）【課題】髪の毛を束ねた状態を良好に維持しつつ、束ねられる力によっても髪の毛が傷み難い髪留め具を提供する。【解決手段】髪留め具１００は、１本の線材からなる右側挟持部１０と、右側挟持部と対をなす１本の線材からなる左側挟持部２０と、を備え、右側挟持部と左側挟持部を構成する線材は、基端Ａから終端Ｂに向けて、基本単位形状をなす基本単位形状部３０が連続して繰り返される形状であり、右側挟持部と左側挟持部は、それぞれが相対する方向に湾曲し、かつ、それぞれ延びる方向における上下一対の外縁辺である第１及び第２輪郭線を引いた際に、第１輪郭線が、第２輪郭線よりも長くなっている。【選択図】図１
0003205620.tif 000002
【実用新案登録請求の範囲】
【請求項１】
１本の線材からなる右側挟持部と、前記右側挟持部と対をなす１本の線材からなる左側挟持部と、を備え、
前記右側挟持部と前記左側挟持部とを構成する前記線材は、基端から終端に向けて、基本単位形状をなす基本単位形状部が連続して繰り返される形状であり、
前記右側挟持部と前記左側挟持部とは、それぞれが相対する方向に湾曲し、
前記右側挟持部と前記左側挟持部とのそれぞれは、前記右側挟持部と前記左側挟持部との延びる方向における輪郭線である第１輪郭線及び第２輪郭線を引いた際に、前記第１輪郭線が、前記第２輪郭線よりも長くなっている髪留め具。
【請求項２】
前記第１輪郭線と前記線材との交差部を第１交差部とし、前記第２輪郭線と前記線材との交差部を第２交差部とした際に、更に、隣り合う前記第１交差部の間隔である第１間隔と、隣り合う前記第２交差部の間隔である第２間隔とについて、それぞれ、最も基端側の間隔を１番として順次番号を付けたとき、
複数ある前記第１間隔のうちの少なくとも一部は、当該第１間隔と同じ番号の前記第２間隔より大きい請求項１に記載の髪留め具。
【請求項３】
前記右側挟持部と前記左側挟持部とは、それぞれ、前記第１輪郭線と前記第２輪郭線が同じ方向に湾曲している請求項１または２に記載の髪留め具。
【請求項４】
前記右側挟持部と前記左側挟持部とは、それぞれ、前記第１輪郭線と前記第２輪郭線が同じ方向に湾曲し、前記第１輪郭線と前記第２輪郭線の湾曲の曲率が異なる請求項１〜３のいずれか一項に記載の髪留め具。
【請求項５】
前記右側挟持部と前記左側挟持部とを構成する前記線材は、前記基端から前記終端に向かう波状である請求項１〜４のいずれか一項に記載の髪留め具。
【請求項６】
前記線材は、前記基端から前記終端に向けて、Ｖ字状をなす前記基本単位形状部が連続して繰り返される波状である請求項５に記載の髪留め具。
【請求項７】
前記線材は、曲率を有する波状である請求項５に記載の髪留め具。
【請求項８】
前記右側挟持部と前記左側挟持部との前記基端側には、前記右側挟持部と前記左側挟持部とを連結し、且つ、前記右側挟持部と前記左側挟持部とを自在に開閉させるヒンジ部を備える請求項１〜７のいずれか一項に記載の髪留め具。
【請求項９】
前記右側挟持部と前記左側挟持部との前記終端側には、それぞれ、前記右側挟持部と前記左側挟持部とを互いに係合可能とする係合部を備える請求項１〜８のいずれか一項に記載の髪留め具。
【請求項１０】
前記右側挟持部と前記左側挟持部とを構成する前記線材は、金属からなる請求項１〜９のいずれか一項に記載の髪留め具。
【請求項１１】
前記右側挟持部と前記左側挟持部とを構成する前記線材は、鉄、銅、または真鍮からなる請求項１０に記載の髪留め具。
【考案の詳細な説明】
【技術分野】
【０００１】
本考案は、髪留め具に関し、更に詳しくは、髪の毛を束ねた状態を良好に維持しつつ、束ねられる力によっても髪の毛が傷み難い髪留め具に関する。
【背景技術】
【０００２】
従来、髪の毛を挟んで留める留め具（髪留め具）が知られている。この髪留め具は、例えば、髪の毛を持ち上げて所望の髪型に整えるために用いられるが、持ち上げた髪の毛がずり落ちたりして髪型が崩れることがある。このような問題を解消するため、確実に髪型を固定できる髪留め具が知られている（特許文献１参照）。
【先行技術文献】
【特許文献】
【０００３】
【特許文献１】実用新案登録第３０８０７５６号公報
【考案の概要】
【考案が解決しようとする課題】
【０００４】
しかしながら、上記髪留め具は、挟まれる髪の毛の量が多くなると、挟まれた髪の毛に大きな力が加わることになる。また、挟まれる髪の毛の量の適切な範囲が狭く、髪の毛の量が少なすぎると、ずり落ちてしまうことがある。そして、髪の毛の量が多すぎると、髪の毛に大きな力が加わるため髪の毛が傷むことがある。
【０００５】
本考案は、このような従来技術の有する問題点に鑑みてなされたものである。本考案の課題とするところは、髪の毛を束ねた状態を良好に維持しつつ、束ねられる力（髪の毛を挟む力）によっても髪の毛が傷み難い髪留め具を提供する。
【課題を解決するための手段】
【０００６】
本考案によれば、以下に示す、髪留め具が提供される。
【０００７】
［１］  １本の線材からなる右側挟持部と、前記右側挟持部と対をなす１本の線材からなる左側挟持部と、を備え、前記右側挟持部と前記左側挟持部とを構成する前記線材は、基端から終端に向けて、基本単位形状をなす基本単位形状部が連続して繰り返される形状であり、前記右側挟持部と前記左側挟持部とは、それぞれが相対する方向に湾曲し、前記右側挟持部と前記左側挟持部とのそれぞれは、前記右側挟持部と前記左側挟持部との延びる方向における輪郭線である第１輪郭線及び第２輪郭線を引いた際に、前記第１輪郭線が、前記第２輪郭線よりも長くなっている髪留め具。
【０００８】
［２］  前記第１輪郭線と前記線材との交差部を第１交差部とし、前記第２輪郭線と前記線材との交差部を第２交差部とした際に、更に、隣り合う前記第１交差部の間隔である第１間隔と、隣り合う前記第２交差部の間隔である第２間隔とについて、それぞれ、最も基端側の間隔を１番として順次番号を付けたとき、複数ある前記第１間隔のうちの少なくとも一部は、当該第１間隔と同じ番号の前記第２間隔より大きい前記［１］に記載の髪留め具。
【０００９】
［３］  前記右側挟持部と前記左側挟持部とは、それぞれ、前記第１輪郭線と前記第２輪郭線が同じ方向に湾曲している前記［１］または［２］に記載の髪留め具。
【００１０】
［４］  前記右側挟持部と前記左側挟持部とは、それぞれ、前記第１輪郭線と前記第２輪郭線が同じ方向に湾曲し、前記第１輪郭線と前記第２輪郭線の湾曲の曲率が異なる前記［１］〜［３］のいずれかに記載の髪留め具。
【００１１】
［５］  前記右側挟持部と前記左側挟持部とを構成する前記線材は、前記基端から前記終端に向かう波状である前記［１］〜［４］のいずれかに記載の髪留め具。
【００１２】
［６］  前記線材は、前記基端から前記終端に向けて、Ｖ字状をなす前記基本単位形状部が連続して繰り返される波状である前記［５］に記載の髪留め具。
【００１３】
［７］  前記線材は、曲率を有する波状である前記［５］に記載の髪留め具。
【００１４】
［８］  前記右側挟持部と前記左側挟持部との前記基端側には、前記右側挟持部と前記左側挟持部とを連結し、且つ、前記右側挟持部と前記左側挟持部とを自在に開閉させるヒンジ部を備える前記［１］〜［７］のいずれかに記載の髪留め具。
【００１５】
［９］  前記右側挟持部と前記左側挟持部との前記終端側には、それぞれ、前記右側挟持部と前記左側挟持部とを互いに係合可能とする係合部を備える前記［１］〜［８］のいずれかに記載の髪留め具。
【００１６】
［１０］  前記右側挟持部と前記左側挟持部とを構成する前記線材は、金属からなる前記［１］〜［９］のいずれかに記載の髪留め具。
【００１７】
［１１］  前記右側挟持部と前記左側挟持部とを構成する前記線材は、鉄、銅、または真鍮からなる前記［１０］に記載の髪留め具。
【考案の効果】
【００１８】
本考案の髪留め具は、髪の毛を束ねた状態を良好に維持しつつ、束ねられる力によっても髪の毛が傷み難いものである。
【図面の簡単な説明】
【００１９】
【図１】本考案の髪留め具の一の実施形態を模式的に示す斜視図である。
【図２】本考案の髪留め具の一の実施形態を模式的に示す裏面図である。
【図３】本考案の髪留め具の一の実施形態の右側挟持部を模式的に示す平面図である。
【図４】本考案の髪留め具の他の実施形態を模式的に示す、図３に相当する平面図である。
【考案を実施するための形態】
【００２０】
以下、本考案の実施の形態について説明するが、本考案は以下の実施の形態に限定されるものではなく、本考案の趣旨を逸脱しない範囲で、当業者の通常の知識に基づいて、以下の実施の形態に対し適宜変更、改良等が加えられたものも本考案の範囲に入ることが理解されるべきである。
【００２１】
［１］髪留め具：
本考案の髪留め具の一実施形態は、図１〜図３に示す髪留め具１００である。髪留め具１００は、１本の線材からなる右側挟持部１０と、この右側挟持部１０と対をなす１本の線材からなる左側挟持部２０と、を備えている。そして、右側挟持部１０と左側挟持部２０とを構成する線材は、基端Ａから終端Ｂに向けて、基本単位形状をなす基本単位形状部３０が連続して繰り返される形状である。また、右側挟持部１０と左側挟持部２０とは、それぞれが相対する方向に湾曲している。更に、右側挟持部１０と左側挟持部２０とのそれぞれは、右側挟持部１０と左側挟持部２０との延びる方向における輪郭線である第１輪郭線４１及び第２輪郭線４３を引いた際に、第１輪郭線４１が、第２輪郭線４３よりも長くなっている（図３参照）。なお、図３中、輪郭線は破線で示す。
【００２２】
この髪留め具１００は、髪の毛を束ねた状態を良好に維持しつつ、束ねられる力によっても髪の毛が傷み難いものである。即ち、髪留め具１００は、髪の毛を挟んだ際に、１本の線材からなる右側挟持部１０及び左側挟持部２０が適度に変形するため、挟み込んだ髪の毛に対して無理な力を加えないことになるので、髪の毛にダメージを与え難くなる。
【００２３】
髪留め具１００において、右側挟持部１０と左側挟持部２０とは、それぞれが相対する方向に湾曲している。このような構造を採用することにより、髪の毛を束ねた際に、束ねた髪の毛の量が多すぎても、髪の毛に大きな力が加わり難くなる。そのため、束ねられる力によっても髪の毛が傷み難くなる。
【００２４】
［１−１］右側挟持部：
右側挟持部１０は、１本の線材からなる。そして、この線材の形状は、右側挟持部１０の基端Ａから終端Ｂに向けて、基本単位形状をなす基本単位形状部３０が連続して繰り返される形状である。右側挟持部１０を構成する線材の形状を上記のような形状とすることにより、髪留め具１００が柔軟に変形することができる。そのため、束ねられた髪の毛に大きな力が加わり難くなり、髪の毛が傷み難くなる。
【００２５】
本明細書において「基端」とは、右側挟持部と左側挟持部とが連結される側の端であり、髪留め具が髪の毛を挟む際に右側挟持部と左側挟持部とが開閉する動作の起点となる側の端である。具体的には、髪留め具がヒンジ部を備える場合には、このヒンジ部が配置される側の端が「基端」となる。
【００２６】
本明細書において「終端」とは、基端とは反対側の端のことであり、髪留め具が係合部を備える場合には、この係合部が配置される側の端が「終端」となる。
【００２７】
「基本単位形状」は、右側挟持部または左側挟持部（以下、これらを総称して単に「挟持部」と記す場合がある）を構成する１本の線材の一部の形状であり、連続して繰り返すことができる形状を意味し、具体的には、Ｖ字状、Ｕ字状、Ω状、Ｓ字状と逆Ｓ字状との組み合わせからなる形状などを挙げることができるが、これらの例に限定されるものではない。なお、Ｖ字状、Ｕ字状、Ω状、Ｓ字状、逆Ｓ字状は、厳密な意味の形状を示すものではない。例えば、Ｖ字状の場合、１つの起点から延びる２つの直線がなす形状であれば、各直線の長さ、角度などにかかわらず「Ｖ字状」ということができるものとする。また、「逆Ｓ字状」とは、Ｓ字状と鏡像関係にある形状を意味する。
【００２８】
「基本単位形状部」は、線材によって基本単位形状をなす部分である。隣り合う基本単位形状部は、互いに重なっていてもよいし、互いに重なっていなくてもよいが、隣り合う基本単位形状部は、互いに重ならない状態で接触しているか、或いは、互いに離間していること（非積層態様）がよい。このような態様（非積層態様）であると、挟持部の変形の自由度が増すためである。つまり、隣り合う基本単位形状部が互いに重なっている場合、挟持部を捻じる動きが規制され、変形の自由度が低いが、非積層態様であると、右側挟持部を捻じる動きについて規制がなく自在に変形する。図１〜図３には、非積層態様である髪留め具１００を示している。
【００２９】
基本単位形状部３０の数は、特に制限はなく、例えば、２〜４０個を挙げることができる。
【００３０】
右側挟持部１０を構成する線材は、基端Ａから終端Ｂに向かう波状であることが好ましい。このように、線材が基端Ａから終端Ｂに向かう波状であると、右側挟持部の全方向の動きについて規制がなく自在に変形する。そのため、髪の毛を束ねた状態を更に良好に維持しつつ、束ねられる力によって髪の毛が傷むことを効果的に防止することができる。「波状」とは、振幅を有して、凹凸が交互に現れる形状であり、例えば、図３に示す線材のように蛇行した形状も「波状」に含まれる。
【００３１】
基端Ａから終端Ｂに向かう波状としては、具体的には、線材は、曲率を有する波状（第１の波状）であることが好ましい。また、線材は、基端Ａから終端Ｂに向けて、Ｖ字状をなす基本単位形状部３０が連続して繰り返される波状（第２の波状）であることも好ましい。
【００３２】
線材が第１の波状であると、右側挟持部を捻じる動きについて特に良好に変形するため、髪留め具に挟まれた髪の毛が傷むことを更に防止できる。
【００３３】
線材が第２の波状であると、右側挟持部と左側挟持部とによって髪の毛をより確実に挟むことができるため、使用中に髪留め具がずり落ちてしまうことを良好に防止できる。
【００３４】
「曲率を有する波状」とは、Ｓ字状と逆Ｓ字状との組み合わせからなる基本単位形状をなす基本単位形状部が連続して繰り返される形状のことを意味する。
【００３５】
図３に示す右側挟持部１０は、この右側挟持部１０を構成する線材が、曲率を有する波状である態様を例示している。
【００３６】
また、図４に示す髪留め具１０１の右側挟持部１０は、この右側挟持部１０を構成する線材が、基端Ａから終端Ｂに向けて、Ｖ字状をなす基本単位形状部３０が連続して繰り返される波状である態様を例示している。図４に示す右側挟持部１０は、この右側挟持部１０を構成する線材が、基端Ａから終端Ｂに向かってジグザグに形成されているということもできる。図４は、本考案の髪留め具の他の実施形態を模式的に示す、図３に相当する平面図である。
【００３７】
複数の基本単位形状部３０は、その形状が同じであっても異なっていてもよい。また、その形状が同じである場合、大きさが同じ（即ち、同一の基本単位形状部３０が複数存在すること）であってもよいし、異なっていてもよい（即ち、相似形の基本単位形状部３０が存在することでもよい）。
【００３８】
線材の材質は、適度な弾性と剛性を有するものである限り特に制限はない。例えば、金属、合成樹脂などであってもよい。
【００３９】
線材は、金属からなるものであることが好ましく、例えば、鉄、銅、真鍮、ステンレス鋼などを挙げることができる。線材は、具体的には、鉄、銅、または真鍮からなるものであることが更に好ましく、これらの中でも、鉄が好ましい。このような材質であると、右側挟持部が良好に弾性変形しつつ、束ねられた髪の毛を確実に押さえることができる。
【００４０】
線材の径は、線材の材質などにより適宜設定することができるが、１．６〜２．０ｍｍとすることができる。
【００４１】
右側挟持部１０は、図３に示すように、右側挟持部１０の延びる方向における輪郭線である第１輪郭線４１及び第２輪郭線４３を引いた際に、第１輪郭線４１が、第２輪郭線４３よりも長くなっている。このような構造を採用すると、髪留め具１００によって髪の毛を束ねた際にその束ねる力は、第１輪郭線４１側に比べて第２輪郭線４３の方が大きくなる。即ち、右側挟持部１０において、髪の毛を束ねる力に片寄りが生じる。そのため、髪の毛を束ねる力が均等である場合に比べて、髪の毛を束ねた状態を良好に維持（保持）することが可能になる。
【００４２】
ここで、右側挟持部１０は、上述の通り、上記所定の形状をなす１本の線材からなるため、束ねた髪の毛の一部が線材の基本単位形状部３０中や隣り合う基本単位形状部３０の間に入り込むことができる。そのため、上記のように、右側挟持部１０では髪の毛を束ねる力に片寄りが生じて、強い力で挟まれる部分と弱い力で挟まれる部分とが存在することになるが、強い力で挟まれる部分でも、束ねられた髪の毛には必要以上に大きな力が加わり難くなる。また、髪の毛の一部が線材の基本単位形状部中や隣り合う基本単位形状部の間に入り込むようになっているため、髪留め具が使用中にずり落ちてしまうことを防止できる。
【００４３】
「輪郭線」とは、線材のみの輪郭を縁取る線を意味するのではなく、線材と、この線材によって挟まれた空間と、からなる領域（帯状となる領域）を側面側から見たときの外縁を意味する（図３参照）。即ち、本明細書において、第１輪郭線と第２輪郭線とは、上記帯状となる領域の外縁における一対の長辺のことである。
【００４４】
右側挟持部１０は、図３に示すように、第１輪郭線４１と第２輪郭線４３が同じ方向に湾曲していることが好ましい。このような構成することにより、装着感が良くなるとともに、使用時に髪留め具がずり落ちることを防止できる。即ち、第１輪郭線４１と第２輪郭線４３が異なる方向に湾曲している場合には、（ｉ）中央部が互いに近接するように湾曲するか、或いは、（ｉｉ）中央部が互いに離れるように湾曲することになる。（ｉ）の場合には、髪の毛を挟んだ際の力が十分に発揮されずに使用時に髪留め具がずり落ちるおそれがある。（ｉｉ）の場合には、装着した際に外側に湾曲した右側挟持部の頂点部分が、使用者の頭に当たり、装着感が悪くなるおそれがある。
【００４５】
更に、右側挟持部１０は、第１輪郭線４１と第２輪郭線４３が同じ方向に湾曲し、且つ、第１輪郭線４１と第２輪郭線４３の湾曲の曲率が異なることが好ましく、第１輪郭線４１の曲率は、第２輪郭線４３の曲率よりも大きいことが更に好ましい。このような構成することにより、第２輪郭線４３側を使用者の頭に向けて装着することで装着感を良好に維持しつつ、使用時に髪留め具がずり落ちることを更に良好に防止できる。なお、この場合、第１輪郭線４１が外側に凸状であり、第２輪郭線４３が内側に凸状となる。
【００４６】
なお、挟持部を、第１輪郭線側の領域と第２輪郭線側の領域との２つの領域に分けた場合、線材の基端側の端と線材の終端側の端とは、第２輪郭線側の領域内にあることが好ましい。このような構成であると、髪留め具を閉じた際（具体的には、髪の毛を束ねた際）に、第１輪郭線側に比べて第２輪郭線側の方が開き難くなる（第２輪郭線側の方が遊びが少なくなる）。そのため、髪の毛を束ねた状態を更に良好に維持しつつ、束ねられることによって髪の毛が傷むことを効果的に防止することができる。
【００４７】
第１輪郭線４１と線材５０との交差部を第１交差部Ｘとし、第２輪郭線４３と線材５０との交差部を第２交差部Ｙとした際に、更に、隣り合う第１交差部Ｘの間隔である第１間隔Ｄと、隣り合う第２交差部Ｙの間隔である第２間隔ｄとについて、それぞれ、最も基端Ａ側の間隔を「１番」として順次番号を付ける（図３参照）。このとき、複数ある第１間隔Ｄのうちの少なくとも一部の第１間隔Ｄは、その第１間隔Ｄと同じ番号の第２間隔ｄより大きいことが好ましい。
【００４８】
別言すれば、第１輪郭線４１と線材５０との交差部を第１交差部Ｘとし、第２輪郭線４３と線材５０との交差部を第２交差部Ｙとした際に、更に、隣り合う第１交差部Ｘの間隔を第１間隔Ｄとし、隣り合う第２交差部Ｙの間隔を第２間隔ｄとしたとき、複数ある第１間隔Ｄのうちの少なくとも一部の第１間隔Ｄは、基端Ａ側からの位置が同じ位置にある第２間隔ｄと比較したときに、当該第２間隔ｄより大きいことが好ましい。
【００４９】
上記のような構成を採用すると、右側挟持部１０は、第１輪郭線４１側に大きく変形することができる。そのため、右側挟持部１０における第２輪郭線４３側を使用者に向けて髪留め具１００を使用した場合、使用者の頭を動かした際にもその頭の動きに合わせて髪留め具１００が変形可能となる。その結果、髪留め具１００は、使用者が頭を大きく動かした場合にも外れ難くなる。
【００５０】
『最も基端Ａ側の間隔を「１番」として順次番号を付ける』とは、図３に示すように、最も基端Ａ側の間隔を「１」とし、次に基端Ａ側の間隔を「２」とし、更に次に基端Ａ側の間隔を「３」とするように、１番から順次若い番号を付していく操作を、終端Ｂまで繰り返すことをいう。そして、このとき、同じ番号（例えば、３番など）が付された第１間隔Ｄと第２間隔ｄとの長さを比較したとき、第１間隔Ｄの方が第２間隔ｄより長く（大きく）なることが好ましい。
【００５１】
右側挟持部１０の大きさは、特に制限はなく、公知の髪留め具の寸法を適用してもよい。例えば、長辺方向α（図３参照）の長さは、２〜２０ｃｍであってもよい。また、短辺方向の長さは、１〜５ｃｍであってもよい。「短辺方向の長さ」は、複数ある基本単位形状部のうちの最も高いものの高さ（最大幅）のことである。
【００５２】
［１−２］左側挟持部：
左側挟持部は、右側挟持部と対をなす部材であり、上述した右側挟持部と同様の特徴を有するものである。なお、左側挟持部の線材は、右側挟持部の線材と同様の形状及び材質で形成されていてもよいし、異なる形状及び材質で形成されていてもよい。
【００５３】
左側挟持部２０は、１本の線材からなる。そして、この線材の形状は、左側挟持部２０の基端Ａから終端Ｂに向けて、基本単位形状をなす基本単位形状部３０が連続して繰り返される形状である。左側挟持部２０を構成する線材の形状を上記のような形状とすることにより、髪留め具１００が柔軟に変形することができる。そのため、束ねられた髪の毛に大きな力が加わり難くなり、髪の毛が傷み難くなる。
【００５４】
左側挟持部２０を構成する線材は、基端Ａから終端Ｂに向かう波状であることが好ましい。このように、線材が基端Ａから終端Ｂに向かう波状であると、左側挟持部の全方向の動きについて規制がなく自在に変形する。そのため、髪の毛を束ねた状態を更に良好に維持しつつ、束ねられる力によって髪の毛が傷むことを効果的に防止することができる。
【００５５】
基端から終端に向かう波状としては、具体的には、線材は、曲率を有する波状（第１の波状）であることが好ましい。また、線材は、基端から終端に向けて、Ｖ字状をなす基本単位形状部３０が連続して繰り返される波状（第２の波状）であることも好ましい。
【００５６】
線材が第１の波状であると、左側挟持部を捻じる動きについて特に良好に変形するため、髪留め具に挟まれた髪の毛が傷むことを更に防止できる。
【００５７】
線材が第２の波状であると、右側挟持部と左側挟持部とによって髪の毛をより確実に挟むことができるため、使用中に髪留め具がずり落ちてしまうことを良好に防止できる。
【００５８】
複数の基本単位形状部３０は、その形状が同じであっても異なっていてもよい。また、その形状が同じである場合、大きさが同じ（即ち、同一の基本単位形状部３０が複数存在すること）であってもよいし、異なっていてもよい（即ち、相似形の基本単位形状部３０が存在することでもよい）。
【００５９】
線材の材質は、適度な弾性と剛性を有するものである限り特に制限はない。例えば、金属、合成樹脂などであってもよい。
【００６０】
線材は、金属からなるものであることが好ましく、例えば、鉄、銅、真鍮、ステンレス鋼などを挙げることができる。線材は、具体的には、鉄、銅、または真鍮からなるものであることが更に好ましく、これらの中でも、鉄が好ましい。このような材質であると、左側挟持部が良好に弾性変形しつつ、束ねられた髪の毛を確実に押さえることができる。
【００６１】
線材の径は、線材の材質などにより適宜設定することができるが、１．６〜２．０ｍｍとすることができる。
【００６２】
左側挟持部は、左側挟持部の延びる方向における輪郭線である第１輪郭線及び第２輪郭線を引いた際に、第１輪郭線が、第２輪郭線よりも長くなっている。このような構造を採用すると、髪留め具１００によって髪の毛を束ねた際にその束ねる力は、第１輪郭線側に比べて第２輪郭線の方が大きくなる。即ち、左側挟持部において、髪の毛を束ねる力に片寄りが生じる。そのため、髪の毛を束ねる力が均等である場合に比べて、髪の毛を束ねた状態を良好に維持（保持）することが可能になる。
【００６３】
ここで、左側挟持部は、上述の通り、上記所定の形状をなす１本の線材からなるため、束ねた髪の毛の一部が線材の基本単位形状部中や隣り合う基本単位形状部の間に入り込むことができる。そのため、上記のように、左側挟持部では髪の毛を束ねる力に片寄りが生じて、強い力で挟まれる部分と弱い力で挟まれる部分とが存在することになるが、強い力で挟まれる部分でも、束ねられた髪の毛には必要以上に大きな力が加わり難くなる。また、髪の毛の一部が線材の基本単位形状部中や隣り合う基本単位形状部の間に入り込むようになっているため、髪留め具が使用中にずり落ちてしまうことを防止できる。
【００６４】
左側挟持部は、第１輪郭線と第２輪郭線が同じ方向に湾曲していることが好ましい。このような構成することにより、装着感が良くなるとともに、使用時に髪留め具がずり落ちることを防止できる。即ち、第１輪郭線と第２輪郭線が異なる方向に湾曲している場合には、（ｉ）中央部が互いに近接するように湾曲するか、或いは、（ｉｉ）中央部が互いに離れるように湾曲することになる。（ｉ）の場合には、髪の毛を挟んだ際の力が十分に発揮されずに使用時に髪留め具がずり落ちるおそれがある。（ｉｉ）の場合には、装着した際に外側に湾曲した左側挟持部の頂点部分が、使用者の頭に当たり、装着感が悪くなるおそれがある。
【００６５】
更に、左側挟持部は、第１輪郭線と第２輪郭線が同じ方向に湾曲し、且つ、第１輪郭線と第２輪郭線の湾曲の曲率が異なることが好ましく、第１輪郭線の曲率は、第２輪郭線の曲率よりも大きいことが更に好ましい。このような構成することにより、第２輪郭線側を使用者の頭に向けて装着することで装着感を良好に維持しつつ、使用時に髪留め具がずり落ちることを更に良好に防止できる。なお、この場合、第１輪郭線が外側に凸状であり、第２輪郭線が内側に凸状となる。
【００６６】
第１輪郭線と線材との交差部を第１交差部とし、第２輪郭線と線材との交差部を第２交差部とした際に、更に、隣り合う第１交差部の間隔である第１間隔と、隣り合う第２交差部の間隔である第２間隔とについて、それぞれ、最も基端側の間隔を「１番」として順次番号を付ける。このとき、複数ある第１間隔のうちの少なくとも一部は、その第１間隔と同じ番号の第２間隔より大きいことが好ましい。このような構成を採用すると、左側挟持部は、第１輪郭線側に大きく変形することができる。そのため、左側挟持部における第２輪郭線側を使用者に向けて髪留め具１００を使用した場合、使用者の頭を動かした際にもその頭の動きに合わせて髪留め具１００が変形可能となる。その結果、髪留め具１００は、使用者が頭を大きく動かした場合にも外れ難くなる。
【００６７】
基本単位形状部３０の数は、特に制限はなく、例えば、２〜４０個を挙げることができる。
【００６８】
左側挟持部の大きさは、特に制限はなく、公知の髪留め具の寸法を適用してもよい。例えば、長辺方向α（図３参照）の長さは、２〜２０ｃｍであってもよい。また、短辺方向の長さは、１〜５ｃｍであってもよい。「短辺方向の長さ」は、複数ある基本単位形状部のうちの最も高いものの高さ（最大幅）のことである。
【００６９】
［１−３］ヒンジ部：
髪留め具１００は、図１〜図３に示されるように、右側挟持部１０と左側挟持部２０との基端Ａ側には、右側挟持部１０と左側挟持部２０とを連結し、且つ、右側挟持部１０と左側挟持部２０とを自在に開閉させるヒンジ部６０を備えている。
【００７０】
このヒンジ部の材質、形態等は、特に制限されるものではなく、一般的に市販されているものや、公知の形態からなるヒンジ部を用いることができる。
【００７１】
［１−４］係合部：
髪留め具１００は、図１〜図３に示されるように、右側挟持部１０と左側挟持部２０との終端Ｂ側に、それぞれ、右側挟持部１０と左側挟持部２０とを互いに係合可能とする係合部７０を備えている。この係合部７０は、右側挟持部１０と左側挟持部２０を解除可能に係合する（固定する）部材であり、固定時には、右側挟持部１０と左側挟持部２０との間に挟み込んで束ねられた髪の毛を、この右側挟持部１０と左側挟持部２０との間に保持することができる。即ち、髪留め具１００において係合部７０は、使用者の意志で、髪の毛を右側挟持部１０と左側挟持部２０との間から解放自在にできる程度に固定するものである。
【００７２】
なお、係合部７０は、図１〜図３の例に限定されるものではなく、解除可能に固定できるものであれば、ホック等の構造からなる部材のそれぞれを右側挟持部１０と左側挟持部２０に配置する等してもよい。
【００７３】
［２］本考案の髪留め具の使用方法：
図１〜図３に示される髪留め具１００において、右側挟持部１０と左側挟持部２０を開き、この右側挟持部１０と左側挟持部２０との間に、挟み込みたい頭部の所定箇所の髪の毛を入れ、係合部７０を係合して髪の毛を束ねる。このとき、髪留め具１００は、使用者の首から頭頂部に向かう方向に沿って配置することがよい。具体的には、髪留め具１００を、そのヒンジ部が下方に位置するように鉛直方向に沿って起立させた状態で、第２輪郭線側が使用者の頭部（特に後頭部）の湾曲に沿って接するように配置することがよい。
【００７４】
仮に束ねられた髪の毛の量が多すぎた場合でも、髪留め具１００における右側挟持部１０と左側挟持部２０は、所定の形状をなす１本の線材からなるため、右側挟持部１０と左側挟持部２０が適度に変形したり、束ねた髪の毛の一部が線材の基本単位形状部３０中や隣り合う基本単位形状部３０の間に入り込んだりする。そのため、必要以上に大きな力が髪の毛に加わることが防止され、髪の毛が傷むことを防止することができる。
【００７５】
このようにして、所定の位置における髪の毛を束ねることができる。さらに、髪留め具を髪の毛から取り外す場合には、係合部７０の係留めを解除し、髪の毛を右側挟持部１０及び左側挟持部２０から外せばよい。
【産業上の利用可能性】
【００７６】
本考案の髪留め具は、髪の毛を束ねるための髪留め具として用いることができる。
【符号の説明】
【００７７】
１０：右側挟持部、２０：左側挟持部、３０：基本単位形状部、４１：第１輪郭線、４３：第２輪郭線、５０：線材、６０：ヒンジ部、７０：係合部、１００，１０１：髪留め具、Ａ：基端、Ｂ：終端、Ｄ：第１間隔、ｄ：第２間隔、Ｘ：第１交差部、Ｙ：第２交差部。
【図１】
0003205620.tif 000003
【図２】
0003205620.tif 000004
【図３】
0003205620.tif 000005
【図４】
0003205620.tif 000006